(57)【要約】【課題】ケーブル無しで外部装置と接続することができる撮影装置を提供する。【解決手段】デジタルカメラ１０の図中右側面には、外部装置とデジタルカメラ１０を接続するためのコネクタオス端子１６が取り付けられている。コネクタオス端子１６はデジタルカメラ１０の筐体１０ａに格納可能となっている。デジタルカメラ１０の図中下面の符号１８は、コネクタオス端子１６を出し入れするためのツマミである。コネクタオス端子１６は、ツマミ１８をスライドすることにより出し入れされる。また、コネクタオス端子１６は、ツマミ１８により引き出された時（図１（ａ））や格納時（図１（ｂ））に固定可能となっている。また、デジタルカメラ１０の図中左側面には、デジタルカメラ１０を外部装置と接続するためのコネクタメス端子２０が取り付けられている。なお、コネクタオス端子１６及びコネクタメス端子２０はそれぞれ複数個設けられていてもよい。コネクタオス端子１６とコネクタメス端子２０は同時に使用することができるように配置されている。【選択図】      図１
2006020161.tif 000002
【特許請求の範囲】
【請求項１】
筐体内部に格納可能に取り付けられており、外部装置のコネクタメス端子と接続するためのコネクタオス端子と、
前記コネクタオス端子が外部装置のコネクタメス端子と接続された場合に、前記コネクタオス端子を介してデータの入出力を行う入出力手段と、
を備えることを特徴とする撮影装置。
【請求項２】
外部装置のコネクタオス端子と接続するためのコネクタメス端子と、
前記コネクタメス端子が外部装置のコネクタオス端子と接続された場合に、前記コネクタメス端子を介してデータの入出力を行う入出力手段と、
を更に備えることを特徴とする請求項１記載の撮影装置。
【請求項３】
前記コネクタオス端子及びコネクタメス端子が同時に使用できるように配置されていることを特徴とする請求項２記載の撮影装置。
【発明の詳細な説明】
【技術分野】
【０００１】
本発明は撮影装置に係り、特に外部装置と接続され、画像データ等の入出力を行うことができる撮影装置に関する。
【背景技術】
【０００２】
近年、撮影した画像をデジタルデータとして保存する撮影装置（デジタルカメラ）が普及している。デジタルカメラは、プリンタやテレビ、パーソナルコンピュータ等の外部装置と接続することができ、接続された外部装置との間で、画像データ等の入出力を行うことができる。
【０００３】
デジタルカメラと上記のような外部装置とを接続する方法には有線及び無線によるものがある。しかしながら、デジタルカメラに備えられる無線インターフェイスは高価であるため、現状では無線接続は普及に至っておらず、デジタルカメラと外部装置との接続は有線によることが多い。デジタルカメラを外部装置等と有線で接続する場合には、ケーブル、ワイヤハーネス等を用意する必要があるが、これは場所をとるため、特に旅行等に携行する上で邪魔になったり、携行するのを忘れたりするなど不便であった。
【０００４】
上記の問題に関連して、例えば、特許文献１には、デジタルカメラを着脱可能に収納する収納部を有する本体ケースと、この本体ケースに回動可能に取り付けられて前記本体ケースの収納部のある面を覆うカバー部材を備え、収納部内に充電端子とカメラ用コネクタが設けられた、携帯可能な中継装置について開示されている。特許文献１に係る中継装置によれば、充電器と保護ケースを別々に用意する必要がないという利点がある。
【特許文献１】特開２００２−１７１４３１号公報
【発明の開示】
【発明が解決しようとする課題】
【０００５】
しかしながら、上記の特許文献１に開示された中継装置は、側面のＡＶ用コネクタやＤＣ用コネクタにケーブルを接続する必要があり、ケーブルの整理が煩わしいという問題があった。
【０００６】
本発明はこのような事情に鑑みてなされたもので、ケーブル無しで外部装置と接続することができる撮影装置を提供することを目的とする。
【課題を解決するための手段】
【０００７】
上記目的を達成するために請求項１に係る撮影装置は、筐体内部に格納可能に取り付けられており、外部装置のコネクタメス端子と接続するためのコネクタオス端子と、前記コネクタオス端子が外部装置のコネクタメス端子と接続された場合に、前記コネクタオス端子を介してデータの入出力を行う入出力手段とを備えることを特徴とする。
【０００８】
請求項２に示すように請求項１に係る撮影装置において、外部装置のコネクタオス端子と接続するためのコネクタメス端子と、前記コネクタメス端子が外部装置のコネクタオス端子と接続された場合に、前記コネクタメス端子を介してデータの入出力を行う入出力手段とを更に備えることを特徴とする。
【０００９】
請求項１又は２に係る撮影装置によれば、コネクタオス端子又はコネクタメス端子により、撮影装置（デジタルカメラ）をケーブル無しで外部装置（プリンタや他のデジタルカメラ、テレビ、パーソナルコンピュータ等）に接続することができる。
【００１０】
請求項３に示すように請求項２に係る撮影装置において、前記コネクタオス端子及びコネクタメス端子が同時に使用できるように配置されていることを特徴とする。
【００１１】
請求項３に係る撮影装置によれば、複数の撮影装置や外部装置を連結して用いることができる。
【発明の効果】
【００１２】
本発明によれば、撮影装置（デジタルカメラ）をケーブル無しで外部装置（プリンタや他のデジタルカメラ、テレビ、パーソナルコンピュータ等）に接続することができる。また、撮影装置と接続したい外部装置の端子の相性が合わないときに、他の外部装置等を経由して外部装置と接続することができる。さらに、撮影装置自体が有さない機能を有する外部装置と接続することにより、その機能を利用することができる。
【発明を実施するための最良の形態】
【００１３】
以下、添付図面に従って本発明に係る撮影装置の好ましい実施の形態について説明する。図１及び図２は、本発明の一実施形態に係る撮影装置（デジタルカメラ）の外観を示す斜視図である。
【００１４】
デジタルカメラ１０の正面には、ストロボ発光装置１２及びレンズ１４が示されている。なお、デジタルカメラ１０のレリーズボタンや操作キー等は省略されている。
【００１５】
図１に示すように、デジタルカメラ１０の図中右の側面には、プリンタや他のデジタルカメラ、テレビ、パーソナルコンピュータ等の外部装置とデジタルカメラ１０を接続するためのコネクタオス端子１６が取り付けられている。コネクタオス端子１６はデジタルカメラ１０の筐体１０ａに格納可能となっている。
【００１６】
デジタルカメラ１０の図中下面の符号１８は、コネクタオス端子１６を出し入れするためのツマミである。コネクタオス端子１６は、ツマミ１８をスライドすることにより出し入れされる。また、コネクタオス端子１６は、ツマミ１８により引き出された時（図１（ａ））や格納時（図１（ｂ））に固定可能となっている。
【００１７】
図２に示すように、デジタルカメラ１０の図中左の側面には、デジタルカメラ１０を外部装置と接続するためのコネクタメス端子２０が取り付けられている。
【００１８】
コネクタオス端子１６及びコネクタメス端子２０は、それぞれ電源入出力、ＵＳＢ、ＩＥＥＥ１３９４等のＤＶ端子やＡＶ端子、ＮＴＳＣケーブル等に対応した端子である。なお、図１及び図２においては、コネクタオス端子１６及びコネクタメス端子２０がそれぞれ１つずつ示されているが、各端子は複数個であってもよい。
【００１９】
なお、本実施形態では、コネクタオス端子１６とコネクタメス端子２０がデジタルカメラ１０の筐体１０ａの逆の面に取り付けられており、両端子を同時に使用することができる。
【００２０】
図３は、デジタルカメラ１０の主要構成を示すブロック図である。図３に示すように、デジタルカメラ１０は、操作部２２と、ＣＰＵ２４と、撮像装置２６と、ＲＡＭ２８と、ＲＯＭ３０と、記録メディア３２と、ＴＶ出力装置３４と、入出力装置３６とを備えている。
【００２１】
操作部２２は、操作者が操作指示の入力を行うための装置であり、レリーズボタンや各種の操作ボタン等を含んでいる。
【００２２】
ＣＰＵ２４は、デジタルカメラ１０を統括制御する制御部である。ＣＰＵ２４は、操作部２２等からの入力に応じてデジタルカメラ１０の各装置の動作を制御する。
【００２３】
撮像装置２６は、画像の撮影を行うための装置であり、レンズや絞り等の光学系や撮像素子を含んでいる。
【００２４】
ＲＡＭ（Random Access Memory）２８は、撮像装置２６により取得された画像データが格納される一時記憶領域及びＣＰＵ２４が各種の演算処理等を行う作業用領域等が含む装置である。
【００２５】
ＲＯＭ（Read Only Memory）３０は、ＣＰＵ２４が処理するプログラム及び制御に必要な各種データ等が格納される記憶領域を含む装置である。
【００２６】
記録メディア３２は、撮像装置２６により取得された画像データが格納される装置であり、例えば、ｘＤピクチャカードやコンパクトフラッシュ（ＣＦ）カード（登録商標）等である。
【００２７】
ＴＶ出力装置３４は、撮像装置２６により取得された画像データをＴＶ出力用の形式に変換するための装置である。ＴＶ出力装置３４により変換された画像データは、コネクタオス端子１６を介して接続されたテレビのモニタに出力される。
【００２８】
入出力装置３６は、コネクタオス端子１６及びコネクタメス端子２０により接続された外部機器とデータの入出力を行うための装置である。各端子を介して入力されたデータは、入出力装置３６によりデジタルカメラ１０において処理が可能な形式に変換される。
【００２９】
本実施形態のデジタルカメラ１０は、互いに接続して使用することができる。図４は、本実施形態のデジタルカメラを２台接続した例を示す斜視図である。図中のストロボ発光装置１２等については、図１等と同様であるため、同一の符号を付して説明を省略する。
【００３０】
図４に示すように、デジタルカメラ１０Ａとデジタルカメラ１０Ｂは、それぞれのコネクタオス端子１６Ａ及びコネクタメス端子２０Ｂ（図示されず）により接続されている。本実施形態では、デジタルカメラ１０Ａのコネクタメス端子２０Ａや、デジタルカメラ１０Ｂのコネクタオス端子１６Ｂに外部装置等を更に接続して使用することができる。
【００３１】
以下、デジタルカメラを複数台接続して使用する方法について説明する。図５は、デジタルカメラ１０Ａがテレビモニタに画像を表示する機能を有しておらず、デジタルカメラ１０Ｂがテレビモニタへの表示機能（ＴＶ出力装置３４Ｂ、及びコネクタオス端子１６Ｂ（ＡＶ端子））を有する場合のデジタルカメラの接続方法を示すブロック図である。この場合、デジタルカメラ１０Ａとデジタルカメラ１０Ｂとをコネクタオス端子１６Ａとコネクタメス端子２０Ｂで接続し、デジタルカメラ１０Ｂのコネクタオス端子（ＡＶ端子）１６Ｂでテレビ３８に接続する。そして、デジタルカメラ１０Ｂでデジタルカメラ１０Ａが認識され、デジタルカメラ１０Ｂの操作部（図示されず）により所定の入力がなされると、デジタルカメラ１０Ａの記録メディア３２Ａに記録されている画像データがデジタルカメラ１０Ｂに転送される。すると、転送された画像データはＴＶ出力装置３４Ｂによりテレビに表示可能な形式に変換され、テレビ３８のモニタに表示される。テレビ３８のモニタ上での表示画像の切り替え等の操作は、デジタルカメラ１０Ｂの操作部で行われる。これにより、テレビモニタへの表示機能をもたないデジタルカメラ１０Ａの画像をテレビモニタに表示させることができる。
【００３２】
図６は、デジタルカメラ１０Ａが無線ＬＡＮ機能を有しておらず、デジタルカメラ１０Ｂが無線ＬＡＮ機能（アンテナ４０Ｂ）を有する場合のデジタルカメラの接続方法を示すブロック図である。この場合、デジタルカメラ１０Ａとデジタルカメラ１０Ｂとをコネクタオス端子１６Ａとコネクタメス端子２０Ｂで接続する。そして、デジタルカメラ１０Ｂでデジタルカメラ１０Ａが認識され、デジタルカメラ１０Ｂの操作部により所定の入力がなされると、デジタルカメラ１０Ａの記録メディア３２Ａに記録されている画像データがデジタルカメラ１０Ｂに転送される。そして、転送された画像データは、アンテナ４０Ｂにより外部装置４２（プリンタやパーソナルコンピュータ等）に送信される。これにより、デジタルカメラ１０Ｂの無線ＬＡＮ機能を利用することにより、無線ＬＡＮ機能をもたないデジタルカメラ１０Ａの画像データを外部装置４２やネットワーク等に送信することができる。
【００３３】
図７は、デジタルカメラ１０Ａが着脱可能な記録メディアを有しておらず、デジタルカメラ１０Ｂが着脱可能な記録メディア３２Ｂを有する場合のデジタルカメラの接続方法を示すブロック図である。この場合、デジタルカメラ１０Ａとデジタルカメラ１０Ｂとをコネクタオス端子１６Ａとコネクタメス端子２０Ｂで接続する。そして、デジタルカメラ１０Ｂでデジタルカメラ１０Ａが認識され、デジタルカメラ１０Ｂの操作部により所定の入力がなされると、デジタルカメラ１０Ａの記録メディア３２Ａに記録されている画像データがデジタルカメラ１０Ｂに転送される。そして、転送された画像データは、デジタルカメラ１０Ｂの記録メディア３２Ｂに記録される。これにより、着脱可能な記録メディアをもたないデジタルカメラ１０Ａの画像を着脱可能な記録メディア３２Ｂを有するデジタルカメラ１０Ｂに保存することができる。このため、例えば、旅行先等で、デジタルカメラのメモリがいっぱいになった場合等に、着脱可能な記録メディアを有するデジタルカメラをストレージ装置代わりに利用することができる。
【００３４】
なお、図７に示す例では、デジタルカメラ１０Ａのほかにも、携帯用の音楽プレーヤや、ビデオプレーヤ、ＵＳＢメモリ等のストレージデバイスをデジタルカメラ１０Ｂに接続して、これらの装置に記録されているデータを転送して記録メディア３２Ｂに保存することもできる。
【図面の簡単な説明】
【００３５】
【図１】本発明の一実施形態に係る撮影装置（デジタルカメラ）の外観を示す斜視図
【図２】本発明の一実施形態に係る撮影装置（デジタルカメラ）の外観を示す斜視図
【図３】デジタルカメラ１０の主要構成を示すブロック図
【図４】本実施形態のデジタルカメラを２台接続した例を示す斜視図
【図５】デジタルカメラ１０Ａがテレビモニタに画像を表示する機能を有しておらず、デジタルカメラ１０Ｂがテレビモニタへの表示機能を有する場合のデジタルカメラの接続方法を示すブロック図
【図６】デジタルカメラ１０Ａが無線ＬＡＮ機能を有しておらず、デジタルカメラ１０Ｂが無線ＬＡＮ機能を有する場合のデジタルカメラの接続方法を示すブロック図
【図７】デジタルカメラ１０Ａが着脱可能な記録メディアを有しておらず、デジタルカメラ１０Ｂが着脱可能な記録メディア３２Ｂを有する場合のデジタルカメラの接続方法を示すブロック図
【符号の説明】
【００３６】
１０…撮影装置（デジタルカメラ）、１２…ストロボ発光装置、１４…レンズ、１６…コネクタオス端子、１８…ツマミ、２０…コネクタメス端子、２２…操作部、２４…ＣＰＵ、２６…撮像装置、２８…ＲＡＭ、３０…ＲＯＭ、３２…記録メディア、３４…ＴＶ出力装置、３６…入出力装置、３８…テレビ、４０…アンテナ、４２…外部装置
【図１】
2006020161.tif 000003
【図２】
2006020161.tif 000004
【図３】
2006020161.tif 000005
【図４】
2006020161.tif 000006
【図５】
2006020161.tif 000007
【図６】
2006020161.tif 000008
【図７】
2006020161.tif 000009